(57)【特許請求の範囲】
【請求項１】
入力信号を増幅部により増幅して出力端子から出力する送信装置において、
前記増幅部と前記出力端子との間の送信経路に接続された反射波分離部と、
前記出力端子には外部機器が接続されるようになっており、該反射波分離部で分離される反射波に基づいて、前記外部機器による周波数特性の劣化を補償するように前記入力信号を補正する補正部と、
前記反射波のレベルに基づいて、複数の前記外部機器から対象となる外部機器を検出する外部機器検出部と、
複数の前記外部機器にそれぞれ対応する前記入力信号の補正情報を記憶する記憶部と、を備え、
前記補正部は、前記外部機器検出部で検出された対象となる外部機器に対応する補正情報を前記記憶部から読み出し、該読み出した補正情報に基づいて前記入力信号を補正する、
ことを特徴とする送信装置。
【請求項２】
前記入力信号は、複数のサブキャリアを含むＯＦＤＭベースバンド信号であり、
前記補正部は、前記反射波の周波数成分の強度に基づいて、前記ＯＦＤＭベースバンド信号を補正する、
ことを特徴とする請求項１に記載の送信装置。
【請求項３】
前記反射波のレベルに基づいて、複数の判定レベルから対象となる判定レベルを決定する判定レベル決定部と、前記複数の判定レベルにそれぞれ対応する前記入力信号の補正情報を記憶する記憶部とを有し、
前記補正部は、前記判定レベル決定部で決定された前記判定レベルに基づいて前記記憶部から対応する前記補正情報を読み出し、該読み出した補正情報に基づいて前記入力信号を補正する、
ことを特徴とする請求項１に記載の送信装置。
【請求項４】
前記反射波分離部は、サーキュレータからなる、
ことを特徴とする請求項１に記載の送信装置。
【請求項５】
前記反射波分離部は、方向性結合器からなる、
ことを特徴とする請求項１に記載の送信装置。
【請求項６】
前記入力信号は、複数のサブキャリアを含むＯＦＤＭベースバンド信号であり、
前記サブキャリアに既知信号を挿入する制御部を、さらに備える、
ことを特徴とする請求項１〜５のいずれか１項に記載の送信装置。
【請求項７】
前記制御部は、リソースブロック毎に異なる本数の前記既知信号を挿入する、
ことを特徴とする請求項６に記載の送信装置。
【請求項８】
前記制御部は、挿入する前記既知信号の本数を動的に制御する、
ことを特徴とする請求項６または７に記載の送信装置。
【請求項９】
前記制御部は、反射波の周波数特性に応じて、挿入する前記既知信号の本数を動的に制御する、
ことを特徴とする請求項８に記載の送信装置。
【請求項１０】
前記制御部は、当該送信装置の環境温度の変化に応じて、挿入する前記既知信号の本数を動的に制御する、
ことを特徴とする請求項８に記載の送信装置。
【発明の詳細な説明】
【技術分野】
【０００１】
本発明は、送信装置に関するものである。
【背景技術】
【０００２】
例えば、無線通信システムの基地局に用いられる送信装置は、その出力端子から所定の周波数特性の送信信号を出力するように構成されている（例えば、特許文献１参照）。特許文献１に開示の送信装置では、電力増幅器を含むアナログ回路部から出力端子に供給される送信信号のフィードバック信号を取得し、そのフィードバック信号と、アナログ回路部への入力信号との誤差を検出する。そして、検出された誤差に基づいて歪補正係数を算出し、その歪補正係数をアナログ回路部への入力信号に乗じることにより、出力端子から歪補償された送信信号を得るようにしている。
【先行技術文献】
【特許文献】
【０００３】
【特許文献１】特開２００３−１８８７４７号公報
【発明の概要】
【発明が解決しようとする課題】
【０００４】
ところで、無線通信システムの基地局は、その設置時あるいは設置後に、不要輻射レベルや送信出力レベルの仕様変更等に応じて、送信装置の出力端子に外部機器が接続される場合がある。例えば、他の無線通信システムが使用している周波数帯域の電波との干渉を防止したり、あるいは、隣接する周波数帯域を使用する他の基地局とアンテナを共用したりするために、不要輻射レベルを低減するフィルタや分波器等の外部受動機器が接続される場合がある。また、送信出力レベルの仕様変更や、外部受動機器の接続による電力損失あるいは給電線による電力損失を補うために、増幅器等の外部能動機器が接続される場合がある。
【０００５】
しかしながら、基地局の送信装置は、上述したように、その出力端子から所定の周波数特性の送信信号を出力するように構成されている。そのため、上記のように送信装置の出力端子に外部能動機器や外部受動機器等の外部機器が接続されると、その外部機器の周波数特性によって当該外部機器から出力される送信信号の周波数特性が劣化して、通信品質の低下を招くことが懸念される。このような送信装置における課題は、基地局の送信装置に限らず、所定の周波数特性の送信信号を出力する送信装置において、外部機器の接続が想定される場合に、同様に生じるものである。
【０００６】
したがって、本発明の目的は、かかる課題を解決し、外部機器による送信信号の周波数特性の劣化を低減できる送信装置を提供することにある。
【課題を解決するための手段】
【０００７】
上記目的を達成する第１の観点に係る送信装置の発明は、
入力信号を増幅部により増幅して出力端子から出力する送信装置において、
前記増幅部と前記出力端子との間の送信経路に接続された反射波分離部と、
前記出力端子には外部機器が接続されるようになっており、該反射波分離部で分離される反射波に基づいて、前記外部機器による周波数特性の劣化を補償するように前記入力信号を補正する補正部と、
前記反射波のレベルに基づいて、複数の前記外部機器から対象となる外部機器を検出する外部機器検出部と、
複数の前記外部機器にそれぞれ対応する前記入力信号の補正情報を記憶する記憶部と、を備え、
前記補正部は、前記外部機器検出部で検出された対象となる外部機器に対応する補正情報を前記記憶部から読み出し、該読み出した補正情報に基づいて前記入力信号を補正する、
ことを特徴とするものである。
【０００９】
第２の観点に係る発明は、第１の観点に係る送信装置において、
前記入力信号は、複数のサブキャリアを含むＯＦＤＭベースバンド信号であり、
前記補正部は、前記反射波の周波数成分の強度に基づいて、前記ＯＦＤＭベースバンド信号を補正する、
ことを特徴とするものである。
【００１０】
第３の観点に係る発明は、第１の観点に係る送信装置において、
前記反射波のレベルに基づいて、複数の判定レベルから対象となる判定レベルを決定する判定レベル決定部と、前記複数の判定レベルにそれぞれ対応する前記入力信号の補正情報を記憶する記憶部とを有し、
前記補正部は、前記判定レベル決定部で決定された前記判定レベルに基づいて前記記憶部から対応する前記補正情報を読み出し、該読み出した補正情報に基づいて前記入力信号を補正する、
ことを特徴とするものである。
【００１２】
第４の観点に係る発明は、第１の観点に係る送信装置において、
前記反射波分離部は、サーキュレータからなる、
ことを特徴とするものである。
【００１３】
第５の観点に係る発明は、第１の観点に係る送信装置において、
前記反射波分離部は、方向性結合器からなる、
ことを特徴とするものである。
【００１４】
第６の観点に係る発明は、第１〜５の観点に係る送信装置において、
前記入力信号は、複数のサブキャリアを含むＯＦＤＭベースバンド信号であり、
前記サブキャリアに既知信号を挿入する制御部を、さらに備える、
ことを特徴とするものである。
【００１５】
第７の観点に係る発明は、第６の観点に係る送信装置において、
前記制御部は、リソースブロック毎に異なる本数の前記既知信号を挿入する、
ことを特徴とするものである。
【００１６】
第８の観点に係る発明は、第６または７の観点に係る送信装置において、
前記制御部は、挿入する前記既知信号の本数を動的に制御する、
ことを特徴とするものである。
【００１７】
第９の観点に係る発明は、第８の観点に係る送信装置において、
前記制御部は、反射波の周波数特性に応じて、挿入する前記既知信号の本数を動的に制御する、
ことを特徴とするものである。
【００１８】
第１０の観点に係る発明は、第８の観点に係る送信装置において、
前記制御部は、当該送信装置の環境温度の変化に応じて、挿入する前記既知信号の本数を動的に制御する、
ことを特徴とするものである。
【発明の効果】
【００１９】
本発明によれば、外部機器が接続された場合に、当該外部機器による送信信号の周波数特性の劣化を低減することができる。
【図面の簡単な説明】
【００２０】
【図１】本発明の第１実施の形態に係る送信装置の構成を示す機能ブロック図である。
【図２】図１に示した送信装置の動作例を説明するための原理イメージ図である。
【図３】本発明の第２実施の形態に係る送信装置の構成を示す機能ブロック図である。
【図４】本発明の第３実施の形態に係る送信装置の構成を示す機能ブロック図である。
【図５】本発明の第４実施の形態に係る送信装置の構成を示す機能ブロック図である。
【図６】サブキャリアにパイロット信号を挿入する様子を示す図である。
【図７】各リソースブロックに挿入するパイロット信号の本数の設定例の表を示す図である。
【発明を実施するための形態】
【００２１】
以下、本発明に係る送信装置の実施の形態について、図を参照して説明する。なお、以下の実施の形態では、複数のサブキャリアを含むOFDM（Orthogonal Frequency Division Multiplexing）方式を採用するWiMAX（Worldwide Interoperability for Microwave Access）やLTE（Long Term Evolution）に代表される無線通信システムの基地局に組み込まれる送信装置を例にとって説明する。
【００２２】
（第１実施の形態）
図１は、本発明の第１実施の形態に係る送信装置の構成を示す機能ブロック図である。この送信装置１００は、送信系１１０、反射波分離部を構成するサーキュレータ１３０、出力端子を構成するアンテナ端子１４０、および、補正部を構成する反射波フィードバック系１５０、を備える。
【００２３】
送信系１１０は、ＯＦＤＭ信号生成回路１１１、デジタル−アナログ変換回路(ＤＡＣ)１１３Ｉおよび１１３Ｑ、ローパスフィルタ(ＬＰＦ)１１４Ｉおよび１１４Ｑ、ＩＱ変調回路（ＩＱ−ＭＯＤ）１１５、局部発振器（ＬＯ）１１６、増幅器（ＡＭＰ）１１７、電力増幅器（ＰＡ）１１８、アイソレータ（ＩＳＯ）１１９、バンドパスフィルタ（ＢＰＦ）１２０を備える。
【００２４】
サーキュレータ１３０は、送信系１１０のＢＰＦ１２０とアンテナ端子１４０との間の送信経路に接続される。
【００２５】
反射波フィードバック系１５０は、ＢＰＦ１５１、混合器（ＭＩＸ）１５２、ＬＯ１５３、ＡＭＰ１５４、ＩＱ復調回路（ＩＱ−ＤＥＭ）１５５、ＬＰＦ１５６Ｉおよび１５６Ｑ、アナログ−デジタル変換回路（ＡＤＣ）１５７Ｉおよび１５７Ｑ、高速フーリエ変換回路（ＦＦＴ）１５８、等化器１５９を備える。
【００２６】
送信系１１０において、ＯＦＤＭ信号生成回路１１１は、図示しない上位の制御局等からの入力データ信号を受けて、ＯＦＤＭベースバンド信号の同相成分（Ｉ信号）および直交成分（Ｑ信号）を生成する。これらＩ信号およびＱ信号は、反射波フィードバック系１５０の等化器１５９を経て、ＤＡＣ１１３Ｉおよび１１３Ｑによりそれぞれアナログ信号に変換された後、ＬＰＦ１１４Ｉおよび１１４Ｑで高調波成分が除去されてＩＱ−ＭＯＤ１１５に供給され、ここでＬＯ１１６からの無線周波数の信号により変調される。ＩＱ−ＭＯＤ１１５で変調された変調信号は、ＡＭＰ１１７およびＰＡ１１８により所定の送信電力に増幅された後、ＩＳＯ１１９を経てＢＰＦ１２０で不要波がフィルタリングされて出力される。したがって、ＡＭＰ１１７およびＰＡ１１８は、増幅部を構成する。
【００２７】
送信系１１０から出力される送信電力（送信信号）の進行波は、サーキュレータ１３０を経てアンテナ端子１４０に供給される。そして、アンテナ端子１４０に供給された進行波は、アンテナ端子１４０に必要に応じて接続される外部機器、例えば外部フィルタ（ＥＸ−ＦＩＬ）１４３を経てアンテナ１４５から電波として放射される。
【００２８】
一方、ＥＸ−ＦＩＬ１４３やアンテナ１４５の給電点等で反射される反射波は、サーキュレータ１３０で分離されて、反射波フィードバック系１５０に入力される。なお、反射波フィードバック系１５０への入力波には、送信周波数帯域の反射波の他に、アンテナ１４５による送信周波数帯域以外の受信波等が含まれる場合もある。
【００２９】
反射波フィードバック系１５０において、サーキュレータ１３０からの入力波は、ＢＰＦ１５１に入力されて、送信系１１０からの送信周波数帯域に対応する反射波成分が取り出される。ＢＰＦ１５１から出力される反射波成分は、ＭＩＸ１５２に供給され、ここでＬＯ１５３からの信号と混合されて中間周波数帯に変換される。この周波数変換された反射波成分は、ＡＭＰ１５４で所望のレベルまで増幅された後、ＩＱ−ＤＥＭ１５５により復調されてアナログのＩ信号およびＱ信号のベースバンド信号に変換される。これらアナログのＩ信号およびＱ信号は、後段でＡＤ変換される際にエイリアシングノイズを除去するために、それぞれＬＰＦ１５６Ｉおよび１５６Ｑにより高域成分が除去された後、ＡＤＣ１５７Ｉおよび１５７Ｑでデジタル信号に変換されてＦＦＴ１５８に供給される。
【００３０】
ＦＦＴ１５８は、入力信号を周波数ドメイン信号に変換して等化器１５９に供給する。これにより、等化器１５９は、ＦＦＴ１５８からの周波数ドメイン信号に基づいて、送信信号の反射による周波数特性の劣化を補償するように、ＯＦＤＭ信号生成回路１１１で生成されたＯＦＤＭベースバンド信号を補正する。
【００３１】
以下、本実施の形態に係る送信装置１００の動作例について、図２（ａ）〜（ｉ）に示す原理イメージ図を参照しながら説明する。なお、図２（ａ）〜（ｉ）において、横軸は周波数を示し、縦軸は強度を示す。
【００３２】
送信装置１００は、反射波フィードバック系１５０によるＯＦＤＭベースバンド信号の補正を行わない場合、図２（ａ）に示すような所定の送信周波数帯域でほぼ一様な進行波強度の送信信号Ｓ０を出力するものとする。また、送信装置１００に接続されたＥＸ−ＦＩＬ１４３は、図２（ｂ）に示すフィルタ特性Ｆ１を有するものとする。なお、図２（ｂ）には、送信信号Ｓ０を重畳して示している。
【００３３】
この場合、ＥＸ−ＦＩＬ１４３からは、図２（ｃ）に示す送信信号Ｓ１が通過してアンテナ１４５から放射され、残りの図２（ｄ）に示す信号が、ＥＸ−ＦＩＬ１４３で反射されて、サーキュレータ１３０を経て反射波信号Ｒ１として反射波フィードバック系１５０に入力される。そして、反射波フィードバック系１５０において、入力された反射波信号Ｒ１の周波数成分が検出され、その周波数成分の強度（パワースペクトル）に基づいて、ＥＸ−ＦＩＬ１４３による送信信号Ｓ０の減衰分、つまり入力された反射波信号Ｒ１を補償するように、ＯＦＤＭベースバンド信号が補正される。
【００３４】
したがって、この場合は、送信装置１００から、図２（ｅ）に示すようなＥＸ−ＦＩＬ１４３での反射分（Ｒ１）が上乗せられた送信信号Ｓ２が出力されることになる。これにより、ＥＸ−ＦＩＬ１４３から、図２（ａ）に示すような仕様に合致したほぼ一様な強度の所望の送信信号Ｓ０を透過させて、アンテナ１４５から電波として放射させることができる。
【００３５】
また、ＥＸ−ＦＩＬ１４３が、送信信号Ｓ０に対して、図２（ｆ）に示すフィルタ特性Ｆ２を有するものである場合は、ＥＸ−ＦＩＬ１４３から、図２（ｇ）に示す送信信号Ｓ３が通過してアンテナ１４５から放射され、残りの図２（ｈ）に示す信号が、ＥＸ−ＦＩＬ１４３で反射されて、サーキュレータ１３０を経て反射波信号Ｒ２として反射波フィードバック系１５０に入力される。そして、反射波フィードバック系１５０において、同様に、ＥＸ−ＦＩＬ１４３での反射波信号Ｒ２を補償するように、ＯＦＤＭベースバンド信号が補正される。
【００３６】
したがって、この場合は、送信装置１００から図２（ｉ）に示すようなＥＸ−ＦＩＬ１４３での反射分（Ｒ２）が上乗せられた送信信号Ｓ４が出力され、これにより、ＥＸ−ＦＩＬ１４３から、図２（ａ）に示すような仕様に合致したほぼ一様な強度の所望の送信信号Ｓ０を透過させて、アンテナ１４５から電波として放射させることができる。
【００３７】
以上のように、本実施の形態に係る送信装置１００では、送信系１１０とアンテナ端子１４０との間の送信経路に接続されたサーキュレータ１３０により反射波を分離し、その反射波に基づいて反射波フィードバック系１５０により、送信信号の反射による周波数特性の劣化を補償するようにＯＦＤＭベースバンド信号を補正する。したがって、送信装置１００のアンテナ端子１４０に如何なる周波数特性の外部機器が接続されても、接続された外部機器による送信信号の周波数特性の劣化を補償して、常に所望の周波数特性の送信信号をアンテナ１４５から安定して放射することができる。
【００３８】
（第２実施の形態）
図３は、本発明の第２実施の形態に係る送信装置の構成を示す機能ブロック図である。この送信装置２００は、図１に示した構成において、反射波分離部がサーキュレータ１３０に代えて方向性結合器１３２で構成されたものである。その他の構成および動作は、図１の送信装置１００と同様であるので、同一構成要素には同一参照符号を付して説明を省略する。
【００３９】
本実施の形態に係る送信装置２００によると、図１の送信装置１００と同様の効果が得られる。また、反射波分離部を構成する方向性結合器１３２は、マイクロストリップラインで形成できるので、サーキュレータ１３０で構成する場合と比較して、構成の簡略化、コストダウンが図れる利点がある。
【００４０】
（第３実施の形態）
図４は、本発明の第３実施の形態に係る送信装置の構成を示す機能ブロック図である。この送信装置３００は、図３に示した構成において、反射波フィードバック系１５０のＦＦＴ１５８と等化器１５９との間に、判定レベル決定部（ＤＥＴ）１６１と記憶部（ＭＥＭ）１６３とが接続されたものである。その他の構成および動作は、図３の送信装置２００と同様であるので、同一構成要素には同一参照符号を付して説明を省略する。
【００４１】
ＤＥＴ１６１は、ＦＦＴ１５８で変換された周波数ドメイン信号（反射波信号）のレベルに基づいて、設定された複数の判定レベルから対応する判定レベルを決定する。例えば、ＤＥＴ１６１は、２つの判定閾値Ｌ１，Ｌ２（Ｌ１＜Ｌ２）を有し、反射波信号のレベルＬがＬ＜Ｌ１の場合は判定レベルＩと決定し、Ｌ１≦Ｌ≦Ｌ２の場合は判定レベルIIと決定し、Ｌ＞Ｌ２の場合は判定レベルIIIと決定する。例えば、外部機器（例えば外部フィルタ）が３種類あった場合、これらの判定レベルは、それぞれの外部機器に対応する。このようにすれば、ＤＥＴ１６１は、３種類のうちどの外部機器が設置されたのかを検出することができる。
【００４２】
また、ＭＥＭ１６３は、ＤＥＴ１６１で決定される判定レベルＩ〜IIIにそれぞれ対応する入力信号の補正情報を記憶する。なお、判定レベルＩ〜IIIの各々における補正情報は、例えば、判定レベルＩおよびIIでは、各レベル範囲の中心値に対応する補正情報とし、判定レベルIIIでは、その範囲内の適宜の値に対応する補正情報とする。例えば、各補正情報は、それぞれの外部機器に対応するものであり、外部機器の設置により変化した送信信号を補正するための情報である。また、判定レベルは、３段階に限らず、任意の複数段階とすることができる。
【００４３】
本実施の形態に係る送信装置３００によると、ＤＥＴ１６１において判定レベルが決定されると、その判定レベルに対応する補正情報がＭＥＭ１６３から読み出されて等化器１５９に供給される。これにより、等化器１５９は、入力された補正情報に基づいて、上述した実施の形態と同様にして、送信信号の反射による周波数特性の劣化を補償するように、ＯＦＤＭ信号生成回路１１１で生成されたＯＦＤＭベースバンド信号を補正する。
【００４４】
本実施の形態に係る送信装置３００によると、図３の送信装置２００と同様の効果が得られる。また、予め用意した複数の補正情報から、反射波信号のレベルに応じた補正情報を決定して入力信号を補正するので、迅速な補正が可能になるとともに、等化器１５９において補正情報を算出する処理を省くことができ、等化器１５９の構成を簡略化できる。したがって、特に、外付けされる外部機器が限定され、それらの周波数特性が既知の場合は、ＤＥＴ１６１において各周波数特性に応じた判定レベルを決定するようにし、ＭＥＭ１６３に対応する判定レベルの補正情報と記憶しておくことで、容易に対処することができる。
【００４５】
（第４実施の形態）
図５は、本発明の第４実施の形態に係る送信装置の構成を示す機能ブロック図である。この送信装置４００は、図１に示した構成において、ＯＦＤＭ信号生成回路１１１の前段に制御部１７１を備え、当該制御部１７１に接続する既知信号記憶部１７３を備えるものである。その他の構成および動作は、図１の送信装置１００と同様であるので、同一構成要素には同一参照符号を付して説明を省略する。
【００４６】
制御部１７１は、ＯＦＤＭ信号のサブキャリアの一部にパイロット信号を挿入する。図６に、制御部１７１がＯＦＤＭ信号のサブキャリアの一部にパイロット信号を挿入した様子を示す。図６に示すように、ＯＦＤＭ信号は複数のリソースブロック（Resource Block）から構成され、各リソースブロックは複数のサブキャリアから構成される。図６に示すリソースブロック２には、制御部１７１により２本のパイロット信号が挿入されている。パイロット信号は、信号レベル等が既知の既知信号である。
【００４７】
制御部１７１が既知のパイロット信号をサブキャリアに挿入することにより、補正部による反射波の検出精度が向上する。しかしながら、制御部１７１によって挿入されるパイロット信号が増えることは伝送できるデータ量の減少につながる。これは、反射波の検出精度と伝送できるデータ量とがトレードオフの関係にあることを意味する。すなわち、制御部１７１が挿入するパイロット信号の本数を増やすと、補正部による反射波の検出精度は向上するが伝送データ量は低減する。一方、制御部１７１が挿入するパイロット信号の本数を減らすと、補正部による反射波の検出精度は劣化するが伝送データ量は増大する。
【００４８】
上記トレードオフの関係を考慮して適切なパイロット信号の本数を設定するため、本実施形態に係る制御部１７１は、挿入するパイロット信号の本数を、状況に応じて動的に変更する。例えば、制御部１７１は、外部フィルタを取り換えた直後など反射波の周波数特性が以前の検出時から大きく変わっていると想定される場合は、挿入するパイロット信号の本数を多くして反射波の検出精度を優先する。また、制御部１７１は、外部フィルタを取り換えてから長時間経過後など、反射波の周波数特性が以前の検出時とほとんど変わらないと想定される場合は、挿入するパイロット信号の本数を少なくして伝送データ量を優先する。
【００４９】
また、外部フィルタや外部アンプの特性は、送信装置４００の環境温度などの変化によっても変動する。この影響を考慮して、制御部１７１は、環境温度が大きく変動したときは挿入するパイロット信号の本数を増やして反射波の検出精度を優先させてもよい。環境温度は、例えば送信装置４００内に温度センサ（図示せず）を設置して測定することができる。
【００５０】
さらに、外部フィルタの通過帯域の端付近などは、外部フィルタの特性変動の影響を受けやすい。これを考慮して、制御部１７１は、外部フィルタの通過帯域の端付近の周波数領域のリソースブロックについては、挿入するパイロット信号の本数を増やし、外部フィルタの通過帯域の中心付近など外部フィルタの特性が変動しにくい周波数領域のリソースブロックについては、挿入するパイロット信号の本数を減らす設定としてもよい。
【００５１】
図７に、リソースブロック内に挿入するパイロット信号の本数の設定例の表を示す。図７に示す表のデータは、既知信号記憶部１７３に記憶されており、制御部１７１によって読み出される。リソースブロック番号は、例えば、一番低い周波数を割り当てられているリソースブロックから順に、１、２、３・・・と割り当てることができる。各リソースブロックには、挿入するパイロット信号の本数の組み合わせとしてＡ、ＢおよびＣの３通りが設定されている。Ａは挿入するパイロット信号が多い組み合わせ、Ｃは挿入するパイロット信号が少ない組み合わせであり、Ｂはその中間の組み合わせである。
【００５２】
例えば、Ａの組み合わせは、リソースブロック番号１に６本のパイロット信号が挿入されることを示しており、同様に、リソースブロック番号１０番には、２本のパイロット信号が挿入される。Ｂの組み合わせは、リソースブロック番号１が４本、リソースブロック番号２が４本、・・・リソースブロック番号１０番が１本である。また、Ｃの組み合わせは、リソースブロック番号１が２本、リソースブロック番号２が２本、・・・リソースブロック番号１０番が１本である。
【００５３】
上述のように、Ａ、ＢおよびＣのいずれの組み合わせにおいても、リソースブロック番号１のパイロット信号をリソースブロック番号１０のパイロット信号よりも多くしているのは、リソースブロック番号１は外部フィルタの通過帯域の低周波側の端付近の周波数領域であり、外部フィルタの特性変動の影響を受けやすいことを考慮したものである。
【００５４】
制御部１７１は、外部フィルタを取り換えた直後など、反射波の検出精度を重視する場合は、Ａの組み合わせを選択し、フィルタを取り換えてから長時間経過後など、反射波の周波数特性が以前の検出時とほとんど変わらないと想定される場合は、Ｃの組み合わせを選択する。また、制御部１７１は、Ａの組み合わせを選択する場合とＣの組み合わせを選択する場合のどちらでもない中間的な状況の場合は、Ｂの組み合わせを選択する。制御部１７１は、この組み合わせの選択を状況に応じて動的に制御することで、反射波の検出精度と伝送速度をバランスよく両立することができる。
【００５５】
本実施の形態に係る送信装置４００によると、制御部１７１がＯＦＤＭ信号のリソースブロックにおけるサブキャリアに既知信号であるパイロット信号を挿入することにより、補正部による反射波の検出精度を向上させることができる。
【００５６】
また、制御部１７１が状況に応じて動的に挿入するパイロット信号の本数を変更することにより、反射波の検出精度とデータ伝送速度をバランス良く両立することができる。
【００５７】
なお、本発明は、上記実施の形態に限定されるものではなく、幾多の変形または変更が可能である。例えば、本発明は、OFDM方式を採用する無線通信システムの基地局に組み込まれる送信装置に限らず、アナログあるいはデジタルの入力信号を増幅してアナログの出力信号として送信する送信装置や、変調あるいは無変調の所定のビーコンを送信する送信装置等に広く適用可能である。
【符号の説明】
【００５８】
１００，２００，３００，４００  送信装置
１１０  送信系
１１１  ＯＦＤＭ信号生成回路
１１３Ｉ，１１３Ｑ  デジタル−アナログ変換回路(ＤＡＣ)
１１４Ｉ，１１４Ｑ  ローパスフィルタ(ＬＰＦ)
１１５  ＩＱ変調回路（ＩＱ−ＭＯＤ）
１１６  局部発振器（ＬＯ）
１１７  増幅器（ＡＭＰ）
１１８  電力増幅器（ＰＡ）
１１９  アイソレータ（ＩＳＯ）
１２０  バンドパスフィルタ（ＢＰＦ）
１３０  サーキュレータ
１３２  方向性結合器
１４０  アンテナ端子
１４３  外部フィルタ（ＥＸ−ＦＩＬ）
１４５  アンテナ
１５０  反射波フィードバック系
１５１  ＢＰＦ
１５２  混合器（ＭＩＸ）
１５３  ＬＯ
１５４  ＡＭＰ
１５５  ＩＱ復調回路（ＩＱ−ＤＥＭ）
１５６Ｉ，１５６Ｑ  ＬＰＦ
１５７Ｉ，１５７Ｑ  アナログ−デジタル変換回路（ＡＤＣ）
１５８  高速フーリエ変換回路（ＦＦＴ）
１５９  等化器
１６１  判定レベル決定部（ＤＥＴ）
１６３  記憶部（ＭＥＭ）
１７１  制御部
１７３  既知信号記憶部
【図１】
0005752005.tif 000002
【図２】
0005752005.tif 000003
【図３】
0005752005.tif 000004
【図４】
0005752005.tif 000005
【図５】
0005752005.tif 000006
【図６】
0005752005.tif 000007
【図７】
0005752005.tif 000008